(57)【要約】【目的】  音響発生体の放音部から放音される音波をより効果的に利用できるようにして、豊かな迫力のある演奏音を楽しめるようにする。【構成】  楽器本体１は、複数の鍵１１からなる鍵盤部１０を有し、この鍵盤部１０の後方に音響発生体であるスピーカ３５を有する。さらにその鍵盤部１０の後方に楽器本体１の上部を覆うように上面板や操作パネル等の上面カバー部が設けられ、その操作パネルにおける楽器本体１の鍵並び方向に離間した左右の部位にトーンエスケープ部が設けられている。そして、トーンエスケープ部の後方の上面板の上に、飾り板２を立設している。その飾り板２は、鍵盤部１０の鍵並び方向の全幅と同等以上の幅と鍵１１の長手方向の長さより大きい高さを有する。【選択図】        図２
2005202081.tif 000002
【特許請求の範囲】
【請求項１】
複数の鍵からなる鍵盤部を有し、この鍵盤部の後方に音響発生体を有する楽器本体と、
前記鍵盤部の後方に前記楽器本体の上部を覆うように設けられた上面カバー部と、
該上面カバー部における前記楽器本体の鍵並び方向に離間した左右の部位に設けられたトーンエスケープ部と、
前記上面カバー部の上面で且つ前記トーンエスケープ部の後方に立設され、前記鍵盤部の鍵並び方向の全幅と同等以上の幅と前記鍵の長手方向の長さより大きい高さを有する飾り板と
を備えたことを特徴とする鍵盤楽器。
【請求項２】
複数の鍵からなる鍵盤部を有し、この鍵盤部の後方に音響発生体を有する楽器本体と、
前記鍵盤部の後方に設けられ、楽音パラメータ設定操作子群を配設した操作パネルと、
前記鍵盤部及び前記操作パネル以外の前記楽器本体の上部を覆う上面カバー部材と、
前記操作パネルにおける前記楽器本体の鍵並び方向に離間した左右の部位に設けられたトーンエスケープ部と、
前記カバー部材の上面で且つ前記トーンエスケープ部の後方に立設され、前記鍵盤部の鍵並び方向の全幅と同等以上の幅を有する飾り板と
を備えたことを特徴とする鍵盤楽器。
【請求項３】
複数の鍵からなる鍵盤部を保持する保持部と両側の側板部と背面部と口棒部と前記鍵盤部の後方で前記背面部に係着される上面カバー部材とによって構成される楽器本体を有する鍵盤楽器において、
前記上面カバー部材の上面に立設され、前記鍵盤部の鍵並び方向の全幅と同等以上の幅を有する飾り板を有し、
前記背面部または前記上面カバー部材のいずれか一方に固着した固定部材を介して前記背面部と上面カバー部材とが固着され、
前記上面カバー部材の前記楽器本体への保持が、前記上面カバー部材の後方部が前記固定部材で固定されると共に、前記飾り板が該上面カバー部材の上面に載置されて前記楽器本体に固着されることによってなされるようにしたことを特徴とする鍵盤楽器。
【請求項４】
複数の鍵からなる鍵盤部を保持する保持部と両側の側板部と背面部と口棒部と前記鍵盤部の後方で前記背面部に係着される上面カバー部材とによって構成される楽器本体を有する鍵盤楽器において、
前記上面カバー部材が、前記楽器本体に固定された固定部と、該固定部にヒンジ部を介して結合されて、前記鍵盤部を開放するオープン状態と覆うクローズ状態とになる開閉蓋部とからなり、
前記固定部の上面に立設され、前記鍵盤部の鍵並び方向の全幅と同等以上の幅を有する飾り板と、
前記開閉蓋部の開閉を緩衝するダンパ機能部材とを備え、
該ダンパ機能部材が、前記楽器本体に装着されたダンパ機構本体と、このダンパ機構本体に一端が回動自在に保持され、他端が前記開閉蓋部の前記ヒンジから離れた部位に回動自在に保持されたステーとで構成され、
前記固定部が前記鍵盤部以外の前記楽器本体の上部を覆い、前記背面部または前記上面カバー部材のいずれか一方に固着した固定部材を介して前記背面部と上面カバー部材とが固着され、
前記固定部の前記楽器本体への保持が、該固定部の後方部が前記固定部材で固定されると共に、前記飾り板が該固定部の上面に載置されて前記楽器本体に固着されることによってなされるようにしたことを特徴とする鍵盤楽器。
【発明の詳細な説明】
【技術分野】
【０００１】
この発明は、電子オルガンや電子ピアノ等の電子鍵盤楽器をはじめ、各種の鍵盤楽器に関する。
【背景技術】
【０００２】
電子オルガンや電子ピアノ等の電子鍵盤楽器は、一般に鍵盤部を有する楽器本体の下部にスピーカを備えており、鍵盤部の鍵操作によって選択された音高の楽音信号を内蔵の電子回路によって発生し、それをスピーカによって音響に変換して楽音を放音する。
例えば、特許文献１に記載されている電子鍵盤楽器は、楽器本体の鍵盤部を保持する棚板の下側に左右一対のスピーカボックスを設けている。
また、例えば特許文献２に見られるように、楽器本体のケース上部に音響発生体であるスピーカの一部（高音域用スピーカ）を配置し、天板とその下側の鍵盤蓋との間にそのスピーカが発生する音の放音部を形成したものもある。
【特許文献１】特開２００２−２４４６６１
【特許文献２】特開２００２−２９７１４１
【０００３】
しかし、このような従来の電子鍵盤楽器では、いずれも音響発生体であるスピーカから主として直接手前側（演奏者側）に放出される音波が演奏者や聴衆に聞こえるものである。また、これらの特許文献１，２にも見られるように、楽器本体の上部に譜面板や開蓋した鍵盤蓋が立設されるのも一般的であるが、それは放音部より手前側に立設されるため、放音部からの放音を妨げるか、少なくとも反響効果を得ることはできない。
【発明の開示】
【発明が解決しようとする課題】
【０００４】
そのため、従来の電子鍵盤楽器では、スピーカ等の音響発生体の放音部から放音された音波が充分効果的に利用されず、演奏者や聴衆に充分豊かな迫力のある演奏音を楽しませるために改善の余地があった。
この発明はこの点を改善するためになされたものであり、電子鍵盤楽器等の鍵盤楽器において、音響発生体の放音部から放音される音波をより効果的に利用できるようにして、豊かな迫力のある演奏音を楽しめるようにすることを第１の目的とする。
【０００５】
また、鍵盤楽器の楽器本体（ケース）は、一般に鍵盤部を保持する保持部と、その両側の側板部と、後方の背面部と、手前側の口棒部と、鍵盤部の後方で上部を覆う上面カバー部材とによって構成されるが、その上面カバー部材の後部と前部を背面部および側板部に固着するために多数のねじ止めが必要であった。しかもその取り付けねじが外から見えないように、下面側を取付具を用いてねじ止めしており、その取付作業にかなりの手間とコストがかかっていた。
さらに、その上面カバー部材が楽器本体の上部に固定される固定部と鍵盤部を開閉する開閉蓋部とからなり、楽器本体に装着されたダンパ機構によってその開閉蓋部の開閉を緩衝するようにしたものもあるが、そのダンパ機構によって開閉蓋部が閉じるときに強い反力が作用するため、固定部の手前側が持ち上げられて楽器本体から剥がれてしまう恐れがあった。
【０００６】
そこで、この発明は上述した上面カバー部材の楽器本体への取り付けを容易にすることを第２の目的とし、さらには開閉蓋を閉じる際にダンパ機構による反力によって上面カバー部材の固定部が楽器本体から持ち上げられるのを防ぐことを第３の目的とする。
【課題を解決するための手段】
【０００７】
この発明による第１の鍵盤楽器は、上記第１の目的を達成するため、複数の鍵からなる鍵盤部を有し、この鍵盤部の後方に音響発生体を有する楽器本体と、その鍵盤部の後方に楽器本体の上部を覆うように設けられた上面カバー部と、その上面カバー部における楽器本体の鍵並び方向に離間した左右の部位に設けられたトーンエスケープ部と、上記上面カバー部の上面で且つ上記トーンエスケープ部の後方に立設され、上記鍵盤部の鍵並び方向の全幅と同等以上の幅と鍵の長手方向の長さより大きい高さを有する飾り板とを備えている。
【０００８】
この発明による第２の鍵盤楽器は、同じく上記第１の目的を達成するため、複数の鍵からなる鍵盤部を有し、この鍵盤部の後方に音響発生体を有する楽器本体と、その鍵盤部の後方に設けられ、楽音パラメータ設定操作子群を配設した操作パネルと、上記鍵盤部及び操作パネル以外の楽器本体の上部を覆う上面カバー部材と、上記操作パネルにおける楽器本体の鍵並び方向に離間した左右の部位に設けられたトーンエスケープ部と、上記カバー部材の上面で且つトーンエスケープ部の後方に立設され、上記鍵盤部の鍵並び方向の全幅と同等以上の幅を有する飾り板とを備えている。
【０００９】
この発明による第３の鍵盤楽器は、上記の第２の目的を達成するため、複数の鍵からなる鍵盤部を保持する保持部と両側の側板部と背面部と口棒部と鍵盤部の後方で背面部に係着される上面カバー部材とによって構成される楽器本体を有する鍵盤楽器において、上記上面カバー部材の上面に立設され、上記鍵盤部の鍵並び方向の全幅と同等以上の幅を有する飾り板を有し、上記背面部または上面カバー部材のいずれか一方に固着した固定部材を介して上記背面部と上面カバー部材とが固着され、上記上面カバー部材の楽器本体への保持が、その上面カバー部材の後方部が上記固定部材で固定されると共に、上記飾り板が該上面カバー部材の上面に載置されて楽器本体に固着されることによってなされるようにしたものである。
【００１０】
この発明による第４の鍵盤楽器は、上記と同様な鍵盤楽器において、上記第２および第３の目的を達成するため、上記上面カバー部材が、楽器本体に固定された固定部と、該固定部にヒンジ部を介して結合されて、鍵盤部を開放するオープン状態と覆うクローズ状態とになる開閉蓋部とかからなり、上記固定部の上面に立設され、上記鍵盤部の鍵並び方向の全幅と同等以上の幅を有する飾り板と、上記開閉蓋部の開閉を緩衝するダンパ機能部材とを備えている。
【００１１】
そして、そのダンパ機能部材が、上記楽器本体に装着されたダンパ機構本体と、このダンパ機構本体に一端が回動自在に保持され、他端が上記開閉蓋部のヒンジから離れた部位に回動自在に保持されたステーとで構成され、上記固定部が上記鍵盤部以外の楽器本体の上部を覆い、上記背面部または上面カバー部材のいずれか一方に固着した固定部材を介して上記背面部と上面カバー部材とが固着される。
さらに、上記固定部の楽器本体への保持が、その固定部の後方部が上記固定部材で固定されると共に、上記飾り板が該固定部の上面に載置されて楽器本体に固着されることによってなされるようにしたものである。
【発明の効果】
【００１２】
この発明による第１、第２の鍵盤楽器は、いずれも上記飾り板が音響反射板になって、音響発生体の放音部から後方よりに放音された音波も前方へ反射されて効果的に利用されるので、楽音が豊かになり、広がり感も達成される。特に、楽器本体の上部に高音用スピーカの放音部を設けた場合には、そこから放音される楽音が後方に発散せずに演奏者側に帰ってくるので楽音が豊かになる。低音の楽音についてもスピーカーボックス上面に孔を設ければ、そこから漏れ出た音波がトーンエスケープを介して楽器本体の上方へ放音され、飾り板によって演奏者側へ反射されるので、スピーカからの直接音と重なって豊な音響になる。
第２の鍵盤装置はさらに、操作パネル面にトーンエスケープ部を設けたので、放音孔を形成する手間を簡略化できる。
【００１３】
第３の鍵盤装置によれば、飾り板が上面カバー部材の重石になるので、上面カバー部材の後部を背面部にねじ止めするだけで、前部を側板部にねじ止めしなくても上面カバー部材が浮き上がることがないので、組付作業が容易になり、コスト低減を図ることもできる。
第４の鍵盤装置によればさらに、上面カバー部材の開閉蓋部を閉じる際に、ダンパ機能部材のダンパ作用によって固定部の前方部が持ち上がるのを飾り板で押さえ、その持ち上がりを防止することができる。
【発明を実施するための最良の形態】
【００１４】
以下、この発明を実施するための最良の形態を図面に基づいて具体的に説明する。
図１はこの発明による鍵盤楽器の一実施例を示す平面図、図２は正面図、図３は側面図、図４はその楽器本体を上面カバー部材を取り除いた状態で拡大して示す平面図である。
この実施例は電子鍵盤楽器である電子ピアノ又は電子オルガンであり、これらの図に示すように、複数の鍵１１からなる鍵盤部１０を有し、その鍵盤部１０の後方に音響発生体を有する楽器本体１と、その楽器本体１の上部に立設される横板２ａと楽器本体１の両横に位置する縦板２ｂとからなる飾り板２とによって構成されている。
【００１５】
楽器本体１は、鍵盤部１０を保持する保持部である棚板（図５に示される）と、左右両側の側板部１２と、図４に示される背面部である３枚の背面板１９と、鍵盤部１０の手前側に設けられている口棒部１３と、左右両側に設けられている一対の拍子木１４と、鍵盤部の後方で背面部に係着される上面カバー部材１５と、左右の一対の脚部１６と、その左右の脚部１６の間で棚板の下側の鍵盤部１０の後方に中央ボックス部１７を挟んで設け一対のスピーカボックス１８を備えている。中央ボックス部１７の下部には３個のぺタル鍵２３が設けられている。
【００１６】
一対のスピーカボックス１８内には、それぞれ音響発生体である低音用のスピーカ２５が、手前側（演奏者側）に向けて取り付けられている。
なお、中央ボックス部１７と左右一対のスピーカボックス１８とは一体的に形成されて後脚部としての機能も果たしている。そして、左右のスピーカボックス１８は、その水平断面が三角形をしており、スピーカ取付面はそれぞれ外方に向いて構成されている。後述するように、音響反射板としての飾り板２、特に左右の縦立２ｂが存在することで、後方への放音を制限する役目も果す。ステージなどで、後方への放音特性アップが必要な場合には、飾り板２を取り外すこともできる。
【００１７】
上面カバー部材１５は、この実施例では図３に明示されるように、楽器本体１の後部上面を覆い、背面板１９の上端部にＬ型金具とねじによる固定部材２４（図１に破線で示す）によって係着されて、楽器本体１に固定される固定部である上面板（天板に相当する）１５ａと、その上面板１５ａにヒンジ部１５ｄを介して結合された第１開閉板１５ｂと、その第１開閉板１５ｂにヒンジ部１５ｅを介して結合された第２開閉板１５ｃとによって構成されている。
【００１８】
そして、その第１開閉板１５ｂと第２開閉板１５ｃとによって、鍵盤部１０を開放するオープン状態と覆うクローズ状態とになる開閉蓋部を構成している。その第２開閉板１５ｃの先端部には幅方向の全長に渡って、クローズ状態のときに鍵盤部１０の手前側を覆うカバー片１５ｆが取り付けられている。なお、この開閉蓋部はこの発明に必須のものではない。
【００１９】
また、鍵盤部１０の後方には、楽音パラメータ設定操作子群３１および液晶表示器３２を配設した操作パネル３０が設けられており、この操作パネル３０も楽器本体の上部をカバーしているので、上面カバー部材１５の上面板１５ａとともに上面カバー部と称する。
図４に示すように、この操作パネル３０の楽器本体１の鍵並び方向に離間した左右の部位にトーンエスケープ部３３が設けられている。このトーンエスケープ部３３は、操作パネル３０に放音用の開口を形成し、その開口を覆うようにパネル上面にサランネットやパンチメタル等の装飾シートを設けている。このようにすれば、放音孔を形成する手間を簡略化できる。
【００２０】
さらに図４に示すように、中央ボックス部１７と一対のスピーカボックス１８の上面には、複数の電気回路ブロック２６が搭載されているが、各スピーカボックス１８のそれ以外の上面には多数の透孔１８ａが形成されており、ここもトーンエスケープ部をなしている。したがって、各スピーカボックス１８内の低音用のスピーカ２５からの音波は、図２に示すように矢示Ｙ１０のように前方に放射されるとともに、破線矢示Ｙ１１で示すように上後方にも放射し、図４に実線矢示Ｙ１１で示すように多数の透孔１８ａを通って上部の操作パネル３０及び上面板１５ａとの間の空間に放出され、さらに操作パネル３０のトーンエスケープ部３３から矢示Ｙ１２で示すように上方および前方へ放射される。
【００２１】
また図４に示すように、操作パネル３０の裏側の空間内に、音響発生体である左右一対の高音用スピーカ３５を、その放音中心線を前方やや上向きで且つ互いに交差する方向に若干傾けて配設している。したがって、その高音用スピーカ３５から矢示Ｙ１２で示すように放出される音波も、操作パネル３０のトーンエスケープ部３３を通して矢示Ｙ２２で示すように上方および前方へ放射される。
【００２２】
飾り板２は、上面カバー部材１５の上面板１５ａの上面で且つ上面カバー部である操作パネル３０のトーンエスケープ部３３の後方に立設され、鍵盤部１０の鍵１１の並び方向の全幅と同等以上の幅と鍵１１の長手方向の長さより大きい高さを有する。この場合の鍵１１の長さとは露出して見える部分だけの長さでも、操作パネル３０に隠れて見えない後端部も含めた長さでもよい。さらに、この実施例のように開閉蓋部（第１，第２開閉板１５ｂ，１５ｃ）を備えている場合には、図２に示すようにその開閉蓋部がオープン状態のときの高さよりも飾り板２の高さの方が高くなるようにする。
【００２３】
また、この実施例では、この飾り板２を鍵盤部１０の鍵並び方向の全幅より幅の狭い一枚の横板２ａと、それを挟む２枚の縦板２ｂによって構成しており、いずれも木製である。そして、横板２ａは上面板１５ａの上面に載置されて、トーンエスケープ部３３から放音される音波に対する音響反射板の機能を果たすとともに、上面板１５ａに対する重石の役目も果たす。２枚の縦板２ｂは、その両側で横板２ｂを支持するとともに、その上端は横板２ａの上端と同じ高さを有し、上部は横板２ｂと同様に音響反射板としての機能も果たす。また、下部は低音用のスピーカ２５から前放に放射される音波の回り込みに対する音響反射板の役目も果たす。
【００２４】
横板２ａの下面にフエルトのような緩衝材を貼着して、上面板１５ａの上面を傷つける恐れをなくすのが望ましい。
この横板２ａと縦板２ｂとは裏面側で平金具とねじによる固定部材２７によって結合されている。そして、縦板２ｂの下部がその裏面側でＬ型金具とねじによる固定部材２８によって、楽器本体１のスピーカボックス１８の後側面に固定される。
なお、この飾り板２を鍵盤部１０の鍵並び方向の全幅と同等以上の幅と鍵１１の長手方向の長さより大きい高さを有する一枚の横板と、それを支える一対の縦板とによって構成するようにしてもよい。
【００２５】
この実施例によれば、飾り板２が電子鍵盤楽器の装飾性を高めるだけでなく、トーンエスケープ部３３等から放音される音波に対する音響反射板になるため、楽音が豊かになり、広がり感が達成される。特に高音用スピーカ３５から出る楽音が発散せずに演奏者側に帰ってくるので楽音が豊かになる。低音の楽音についてもスピーカボックス１８の上面の透孔１８ａとトーンエスケープ部３３を介して漏れて来る音波が前方へ反射され、またスピーカボックス１８の前方へ放射された音波も後方へ周り込むと縦板２ｂに反射されるので、直接音とそれらの反射音とが重なって豊かな楽音になる。
【００２６】
なお、上面カバー部材１５を、鍵盤部１０及び操作パネル３０以外の楽器本体１の上部を覆う固定の上面板１５ａのみにしてもよく、その場合には、その上面板１５ａと操作パネル３０とによって上面カバー部を構成する。操作パネル３０は、鍵盤部１０と上面板１５ａとの間に設けられている。
上面カバー部材１５に開閉蓋部を設けた場合には、それが鍵盤部１０を開放するオープン状態で、操作パネル３０のトーンエスケープ部３３の一部が第２開閉板１５ｃの手前側に露出し、残りの大部分が第１開閉板１５ｂの後方に露出するようにすれば、飾り板２による音響反射効果を充分に得ることができる。
【００２７】
また、この実施例では、背面部である背面板１９または上面カバー部材１５の上面板１５ａのいずれか一方に固着した固定部材２４を介して背面板１９と上面板１５ａとが固着されるようにし、上面板１５ａの楽器本体１への保持が、上面板１５ａの後方部が固定部材２４によって固定されると共に、飾り板が上面板１５ａの上面に載置されて楽器本体１に固着されることによってなされるようにしている。
そのため、楽器本体１の上面を覆って隠す上面板１５ａを、背面板１９に固着する際に、上面板１５ａ上に飾り板２が載置されるとそれが重石になるので、固定部材２４によるねじ止め箇所を少なくすることができ、ねじ止め箇所を減少しても剥がれることはない。また、その組付け作業も容易に行なうことができる。
【００２８】
図５は、この実施例のダンパ機能部を設けた部分を背面板を除いてやや後方斜め下から見た斜視図である。
この実施例の鍵盤楽器はまた、上面カバー部材１５に連結された第１，第２開閉板１５ｂ，１５ｃからなる開閉蓋部の開閉動作を緩衝するダンパ機能部材４０を備えている。
図５において、上面カバー部材１５の第２開閉板１５ｃは図示を省略しており、背面板１９はほんの一部だけを残して除去している。２０は側板部１２の内側にＬ型金具３７を介してねじ止め固定された棚板であり、この棚板２０によって前述した鍵盤部１０が保持される。
【００２９】
操作パネル３０は、側板部１２の内面にねじ止め固定されたクランクアーム状に折れ曲った操作パネル支持部材３８によって支持固定されている。
すなわち、操作パネル支持部材３８のアーム部３８ｃからパネル面に平行に折れ曲った取付片を、操作パネル３０の裏面に形成されたボス部３０ａにねじ止め固定し、操作パネル３０と操作パネル支持部材３８を一体化し、その操作パネル支持部材３８の基部を側板部１２にねじ止めする。
その操作パネル支持部材３８の直立部３８ａにはガタ孔３８ｂが設けられており、上面板１５ａの下面に固着されたコ字状の反動防止金具３９の下片部３９ａをそのガタ孔３８ｂに嵌入させて、第１開閉板１５ｂの開閉時における上面板１５ａの反動を防止するようにしている。
【００３０】
その反動防止金具３９の下片部３９ａは、例えば先端へ行くにつれて下がり傾斜をなし、ガタ孔３８の上縁と上面板１５ａの下面までの距離Ｄ１と下片部３９ａの付け根から上面板１５ａの下面までの距離Ｄ２との関係を、わずかにＤ１＞Ｄ２の関係（その差は０~２ｍｍ）とするように構成する。この構成にて、前方から後方への押し込み操作によって、ワンタッチで上面板１５ａを楽器本体１に結合できる。この状態で、Ｌ型の固定部材２４の後方からねじ止めすると、下片部３９ａとガタ孔３８ｂとの嵌合がより強くなりながら背面板１９と上面板１５ａとが固着される。しかし、これはこの発明に必須のものとは限らない。
【００３１】
ダンパ機能部材４０は、楽器本体１の側板部１２の内面側に形成された凹部１２ａ内に配設され、前記楽器本体に装着されたダンパユニット４１とレバー４３とがトルク軸４２を介して連結されたダンパ機構本体４４と、そのダンパ機構本体４４のレバー４３に軸４５によって一端が回動可能に保持され、他端が開閉蓋部の第１開閉板１５ｂのヒンジ部１５ｄから離れた部位に回動自在に保持されたステー４６とによって構成されている。
拍子木１４は、側板部１２の内面に取り付けられた拍子木締結具５０によって楽器本体１に固着されている。
【００３２】
この場合にも、固定部である上面板１５ａの楽器本体１への保持が、上面板１５ａの後方部が図１に示した固定部材２４で固定されると共に、飾り板２が上面板１５ａの上面に載置されて楽器本体１に固着されることによってなされるようにする。
それによって、前述した効果が得られるとともに、ダンパ機能部材４０のダンパ作用によって、開閉蓋部である第１開閉板１５ｂの閉動作がダンプされる際に、その反動で上面板１５ａの前方部が持ち上がるのを飾り板２によって押え、その持ち上がりを防止することができる。
【００３３】
さらに、その補助として、上面板１５ａと操作パネル支持部材３８との間を反動防止金具で結合することによって、固定部である上面板１５ａが楽器本体１に常にロックされるので、開閉蓋部を閉じる際の上面板１５ａの持ち上がりを一層確実に防止することができる。
なお、飾り板の形状や大きさ、材質、分割構成などは、実施例に示したものに限らず、任意に変更し得ることは勿論である。
【産業上の利用可能性】
【００３４】
この発明は、電子オルガンや電子ピアノ等の各種の電子鍵盤楽器に適用できるのは勿論であるが、それに限るものではなく、自然楽器のオルガンやアップライトピアノなどの鍵盤楽器にも広く適用可能である。
【図面の簡単な説明】
【００３５】
【図１】この発明による鍵盤楽器の一実施例を示す平面図である。
【図２】同じくその正面図である。
【図３】同じくその側面図である。
【図４】楽器本体を上面カバー部材を取り除いた状態で拡大して示す平面図である。
【図５】同じくそのダンパ機能部を設けた部分を背面板を除いてやや後方斜め下から見た斜視図である。
【符号の説明】
【００３６】
１…楽器本体、２…飾り板、２ａ…横板、２ｂ…縦板、１０…鍵盤部、１１…鍵、１２…側板部、１２ａ…凹部、１３…口棒部、１４…拍子木、１５…上面カバー部材、１５ａ…上面板（固定部、上面カバー部）、１５ｂ…第１開閉板、１５ｃ…第２開閉板、１５ｄ，１５ｅ…ヒンジ部、１５ｆ…カバー片、１６…脚部、１７…中央ボックス部、１８…スピーカボックス、１９…背面板（背面部）、２０…棚板、２３…ぺタル鍵、２４…固定部材、２５…低音用のスピーカ（音響発生体）、２６…電気回路ブロック、２７，２８…固定部材、３０…操作パネル、３１…楽音パラメータ設定操作子群、３２…液晶表示器、３３…トーンエスケープ部、３５…高音用スピーカ（音響発生体）、３７…Ｌ型金具、３８…操作パネル支持部材、３８ａ…直立部、３８ｂ…ガタ孔、３９…反動防止金具、３９ａ…下片部、４０…ダンパ機能部材、４１…ダンパユニット、４２…トルク軸、４３…レバー、４４…ダンパ機構本体、４５…軸、４６…ステー、５０…拍子木締結具、
【図１】
2005202081.tif 000003
【図２】
2005202081.tif 000004
【図３】
2005202081.tif 000005
【図４】
2005202081.tif 000006
【図５】
2005202081.tif 000007
【手続補正書】
【提出日】平成16年1月19日(2004.1.19)
【手続補正１】
【補正対象書類名】図面
【補正対象項目名】図２
【補正方法】変更
【補正の内容】
【図２】
2005202081.tif 000008
【手続補正書】
【提出日】平成17年2月2日(2005.2.2)
【手続補正１】
【補正対象書類名】明細書
【補正対象項目名】０００９
【補正方法】変更
【補正の内容】
【０００９】
この発明による第３の鍵盤楽器は、上記の第１及び第２の目的を達成するため、複数の鍵からなる鍵盤部を保持する保持部と両側の側板部と背面部と口棒部と鍵盤部の後方で背面部に係着される上面カバー部材とによって構成される楽器本体を有する鍵盤楽器において、上記上面カバー部材の上面に立設され、上記鍵盤部の鍵並び方向の全幅と同等以上の幅を有する飾り板を有し、上記背面部または上面カバー部材のいずれか一方に固着した固定部材を介して上記背面部と上面カバー部材とが固着され、上記上面カバー部材の楽器本体への保持が、その上面カバー部材の後方部が上記固定部材で固定されると共に、上記飾り板が該上面カバー部材の上面に載置されて楽器本体に固着されることによってなされるようにしたものである。
【手続補正２】
【補正対象書類名】明細書
【補正対象項目名】００１０
【補正方法】変更
【補正の内容】
【００１０】
この発明による第４の鍵盤楽器は、上記と同様な鍵盤楽器において、上記第１乃至第３の目的を達成するため、上記上面カバー部材が、楽器本体に固定された固定部と、該固定部にヒンジ部を介して結合されて、鍵盤部を開放するオープン状態と覆うクローズ状態とになる開閉蓋部とかからなり、上記固定部の上面に立設され、上記鍵盤部の鍵並び方向の全幅と同等以上の幅を有する飾り板と、上記開閉蓋部の開閉を緩衝するダンパ機能部材とを備えている。
【手続補正３】
【補正対象書類名】明細書
【補正対象項目名】００１２
【補正方法】変更
【補正の内容】
【００１２】
この発明による第１、第２の鍵盤楽器は、いずれも上記飾り板が音響反射板になって、音響発生体の放音部から後方よりに放音された音波も前方へ反射されて効果的に利用されるので、楽音が豊かになり、広がり感も達成される。特に、楽器本体の上部に高音用スピーカの放音部を設けた場合には、そこから放音される楽音が後方に発散せずに演奏者側に帰ってくるので楽音が豊かになる。低音の楽音についてもスピーカーボックス上面に孔を設ければ、そこから漏れ出た音波がトーンエスケープを介して楽器本体の上方へ放音され、飾り板によって演奏者側へ反射されるので、スピーカからの直接音と重なって豊な音響になる。
第２の鍵盤楽器はさらに、操作パネル面にトーンエスケープ部を設けたので、放音孔を形成する手間を簡略化できる。
【手続補正４】
【補正対象書類名】明細書
【補正対象項目名】００１３
【補正方法】変更
【補正の内容】
【００１３】
第３の鍵盤楽器によれば、飾り板が上面カバー部材の重石になるので、上面カバー部材の後部を背面部にねじ止めするだけで、前部を側板部にねじ止めしなくても上面カバー部材が浮き上がることがないので、組付作業が容易になり、コスト低減を図ることもできる。
第４の鍵盤楽器によればさらに、上面カバー部材の開閉蓋部を閉じる際に、ダンパ機能部材のダンパ作用によって固定部の前方部が持ち上がるのを飾り板で押さえ、その持ち上がりを防止することができる。
【手続補正５】
【補正対象書類名】明細書
【補正対象項目名】００１５
【補正方法】変更
【補正の内容】
【００１５】
楽器本体１は、鍵盤部１０を保持する保持部である棚板（図５に示される）と、左右両側の側板部１２と、図４に示される背面部である３枚の背面板１９と、鍵盤部１０の手前側に設けられている口棒部１３と、左右両側に設けられている一対の拍子木１４と、鍵盤部の後方で背面部に係着される上面カバー部材１５と、左右の一対の脚部１６と、その左右の脚部１６の間で棚板の下側の鍵盤部１０の後方に中央ボックス部１７を挟んで一対のスピーカボックス１８を備えている。中央ボックス部１７の下部には３個のぺタル鍵２３が設けられている。
【手続補正６】
【補正対象書類名】明細書
【補正対象項目名】００１６
【補正方法】変更
【補正の内容】
【００１６】
一対のスピーカボックス１８内には、それぞれ音響発生体である低音用のスピーカ２５が、手前側（演奏者側）に向けて取り付けられている。
なお、中央ボックス部１７と左右一対のスピーカボックス１８とは一体的に形成されて後脚部としての機能も果たしている。そして、左右のスピーカボックス１８は、その水平断面が三角形をしており、スピーカ取付面はそれぞれ外方に向いて構成されている。後述するように、音響反射板としての飾り板２、特に左右の縦板２ｂが存在することで、後方への放音を制限する役目も果す。ステージなどで、後方への放音特性アップが必要な場合には、飾り板２を取り外すこともできる。
【手続補正７】
【補正対象書類名】明細書
【補正対象項目名】００２１
【補正方法】変更
【補正の内容】
【００２１】
また図４に示すように、操作パネル３０の裏側の空間内に、音響発生体である左右一対の高音用スピーカ３５を、その放音中心線を前方やや上向きで且つ互いに交差する方向に若干傾けて配設している。したがって、その高音用スピーカ３５から矢示Ｙ２１で示すように放出される音波も、操作パネル３０のトーンエスケープ部３３を通して矢示Ｙ２２で示すように上方および前方へ放射される。
【手続補正８】
【補正対象書類名】明細書
【補正対象項目名】００２３
【補正方法】変更
【補正の内容】
【００２３】
また、この実施例では、この飾り板２を鍵盤部１０の鍵並び方向の全幅より幅の狭い一枚の横板２ａと、それを挟む２枚の縦板２ｂによって構成しており、いずれも木製である。そして、横板２ａは上面板１５ａの上面に載置されて、トーンエスケープ部３３から放音される音波に対する音響反射板の機能を果たすとともに、上面板１５ａに対する重石の役目も果たす。２枚の縦板２ｂは、その両側で横板２ａを支持するとともに、その上端は横板２ａの上端と同じ高さを有し、上部は横板２ａと同様に音響反射板としての機能も果たす。また、下部は低音用のスピーカ２５から前放に放射される音波の回り込みに対する音響反射板の役目も果たす。
【手続補正９】
【補正対象書類名】明細書
【補正対象項目名】００２９
【補正方法】変更
【補正の内容】
【００２９】
操作パネル３０は、側板部１２の内面にねじ止め固定されたクランクアーム状に折れ曲った操作パネル支持部材３８によって支持固定されている。
すなわち、操作パネル支持部材３８のアーム部３８ｃからパネル面に平行に折れ曲った取付片３８ｄを、操作パネル３０の裏面に形成されたボス部３０ａにねじ止め固定し、操作パネル３０と操作パネル支持部材３８を一体化し、その操作パネル支持部材３８の基部を側板部１２にねじ止めする。
その操作パネル支持部材３８の直立部３８ａにはガタ孔３８ｂが設けられており、上面板１５ａの下面に固着されたコ字状の反動防止金具３９の下片部３９ａをそのガタ孔３８ｂに嵌入させて、第１開閉板１５ｂの開閉時における上面板１５ａの反動を防止するようにしている。
【手続補正１０】
【補正対象書類名】明細書
【補正対象項目名】００３１
【補正方法】変更
【補正の内容】
【００３１】
ダンパ機能部材４０は、楽器本体１の側板部１２の内面側に形成された凹部１２ａ内に配設され、前記楽器本体に装着されたダンパユニット４１とレバー４３とがトルク軸４２を介して連結されたダンパ機構本体４４と、そのダンパ機構本体４４のレバー４３に軸４５によって一端が回動可能に保持され、他端が開閉蓋部の第１開閉板１５ｂのヒンジ部１５ｄから離れた部位に回動自在に保持されたステー４６とによって構成されている。
拍子木１４は、側板部１２の内面に取り付けられた拍子木締結具４７によって楽器本体１に固着されている。
【手続補正１１】
【補正対象書類名】明細書
【補正対象項目名】００３６
【補正方法】変更
【補正の内容】
【００３６】
１…楽器本体、２…飾り板、２ａ…横板、２ｂ…縦板、１０…鍵盤部、１１…鍵、１２…側板部、１２ａ…凹部、１３…口棒部、１４…拍子木、１５…上面カバー部材、１５ａ…上面板（固定部、上面カバー部）、１５ｂ…第１開閉板、１５ｃ…第２開閉板、１５ｄ，１５ｅ…ヒンジ部、１５ｆ…カバー片、１６…脚部、１７…中央ボックス部、１８…スピーカボックス、１９…背面板（背面部）２０…棚板、２３…ぺタル鍵、２４…固定部材、２５…低音用のスピーカ（音響発生体）、２６…電気回路ブロック、２７，２８…固定部材、３０…操作パネル、３１…楽音パラメータ設定操作子群、３２…液晶表示器、３３…トーンエスケープ部、３５…高音用スピーカ（音響発生体）、３７…Ｌ型金具、３８…操作パネル支持部材、３８ａ…直立部、３８ｂ…ガタ孔、３９…反動防止金具、３９ａ…下片部、４０…ダンパ機能部材、４１…ダンパユニット、４２…トルク軸、４３…レバー、
４４…ダンパ機構本体、４５…軸、４６…ステー、４７…拍子木締結具、
【手続補正１２】
【補正対象書類名】図面
【補正対象項目名】図４
【補正方法】変更
【補正の内容】
【図４】
2005202081.tif 000009